(57)【特許請求の範囲】
【請求項１】
枠体に障子を開閉自在に取り付けた建具であって、
建具構成枠材のホロー内に、補強部材と部品取付部材を設け、
前記補強部材は、見込み方向に向かう補強部と、前記補強部の見込み方向一端部に設けた見付け方向に延びる支持部と、前記補強部の見込み方向他端寄りに設けた見付け方向に延びる補助板と、を有し、
前記部品取付部材は、見込み方向に向かう部品取付部を有し、
前記補強部材の補強部の一部に、前記部品取付部材の部品取付部を配置するための開口部を設けたことを特徴とする建具。
【請求項２】
前記補強部材は、前記支持部の見付け方向端部に設けた見込み方向他端に延びる取付片と、前記補助板の見付け方向端部に設けた見込み方向他端に延びる支持片と、を有する請求項１記載の建具。
【請求項３】
前記建具構成枠材に、当該建具構成枠材の躯体取付片を補強する金属製の補強片を、前記補強部材に螺合した固着具で固着して取り付け、
前記補強片を前記躯体取付片とともに固着具で建物躯体に固着した請求項１又は２記載の建具。
【発明の詳細な説明】
【技術分野】
【０００１】
本発明は、縦すべり出し窓、横すべり出し窓、外たおし窓、内たおし窓、外開き窓、内開き窓、引き違い窓等の枠体に障子を開閉自在に取り付けた建具に関する。
【背景技術】
【０００２】
従来、枠体に障子を開閉自在に取り付けた建具として特許文献１に開示された縦すべり出し窓が提案されている。
この縦すべり出し窓は、枠体の上枠と障子の上框及び枠体の下枠と障子の下框に渡ってフリクションアーム（ステー）と呼ばれる部品をそれぞれ固着し、障子を枠体に開閉可能に支持している。
【先行技術文献】
【特許文献】
【０００３】
【特許文献１】特許第３２８８０１８号公報
【発明の概要】
【発明が解決しようとする課題】
【０００４】
前述の部品は、上枠、上框及び下枠、下框のホロー内に裏板を設け、固着具を部品の孔を通して各枠、框を貫通し裏板に螺合することで固着している。
このために、部品に負荷する荷重は各枠、框で支持することになるので、各枠、框を部品に負荷する荷重で変形等しない強度を有する大きなものとなる。
しかも、固着具を裏板に螺合することで各枠、框の部品取付部分に圧縮応力が集中的に負荷し、亀裂が生じるなどの破損する虞れがある。
【０００５】
本発明の目的は、建具構成枠材のホロー内に支持される補強部材により、建具構成枠材を補強できるようにすることである。
【課題を解決するための手段】
【０００６】
本発明は、枠体に障子を開閉自在に取り付けた建具であって、
建具構成枠材のホロー内に、補強部材と部品取付部材を設け、
前記補強部材は、見込み方向に向かう補強部と、前記補強部の見込み方向一端部に設けた見付け方向に延びる支持部と、前記補強部の見込み方向他端寄りに設けた見付け方向に延びる補助板と、を有し、
前記部品取付部材は、見込み方向に向かう部品取付部を有し、
前記補強部材の補強部の一部に、前記部品取付部材の部品取付部を配置するための開口部を設けたことを特徴とする建具である。
【発明の効果】
【０００７】
本発明によれば、建具構成枠材のホロー内に支持される補強部材により、建具構成枠材を補強できる。
【図面の簡単な説明】
【０００８】
【図１】建具である横すべり出し窓の内観図である。
【図２】図１の縦断面図である。
【図３】図１の横断面図である。
【図４】ステーを取り付けた部分の拡大断面図である。
【図５】補強部材と部品取付部材の斜視図である。
【図６】補強部材に部品取付部材を取り付けた状態の斜視図である。
【図７】補強部材を嵌合した縦枠の斜視図である。
【発明を実施するための形態】
【０００９】
図１に示すように、枠体１は、相対向した２つの第１枠である上枠１０、下枠１１と、相対向した２つの第２枠である左右の縦枠１２を枠組みした方形状である。
障子２は、相対向した２つの第１框である上框２０、下框２１と、相対向した２つの第２框である左右の縦框２２を框組みし、その内部にガラス等のパネル２３が装着してある。
枠体１の左右の縦枠１２と障子２の左右の縦框２２とに渡って部品、例えばステー３をそれぞれ取り付け、このステー３で障子２を枠体１に開閉自在に支持し、横すべり出し窓としてある。
上枠１０、下枠１１、左右の縦枠１２及び上框２０、下框２１、左右の縦框２２が本発明の建具構成枠材である。
【００１０】
図２〜図７に基づいて各枠を説明する。
なお、屋内側と屋外側との方向を見込み方向とし、屋内側を一側、屋外側を他側とすると共に、見込み方向と直角な方向を見付け方向として説明する。
【００１１】
上枠１０、下枠１１、左右の縦枠１２は図２、図３に示すように、ホロー１０ａ，１１ａ，１２ａ及び見付け方向に向かう躯体取付片１０ｂ，１１ｂ，１２ｂを有した同一断面形状である。
各ホロー１０ａ，１１ａ，１２ａに補強部材４が長手方向の全長に渡ってそれぞれ挿入して設けてある。
上枠１０の躯体取付片１０ｂと縦枠１２の躯体取付片１２ｂに補強片１０ｃ，１２ｃがそれぞれ添設してあり、この補強片１０ｃ，１２ｃは補強部材４に固着具１０ｄ，１２ｄでそれぞれ固着してある。
【００１２】
上框２０、下框２１、左右の縦框２２は図２、図３に示すように、見込み方向に離隔して２つのホロー２０ａ，２１ａ，２２ａを有した同一断面形状である。
各ホロー２０ａ，２１ａ，２２ａに補強部材５が長手方向の全長に渡ってそれぞれ挿入して設けてある。
各補強部材５の長手方向端部同士が連結され、例えばコーナー金具で連結されて方形枠状としてあると共に、見込み方向に離れた補強部材５は連結プレート５ａに固着具５ｂでそれぞれ固着されている。
【００１３】
この実施の形態の上枠１０、下枠１１、縦枠１２及び上框２０、下框２１、縦框２２は樹脂製、例えば樹脂押出形材より成り、樹脂製の建具としてある。
補強部材４，５及び補強片１０ｃ，２０ｃは金属製、例えばスチール製で、各枠、框を補強している。
【００１４】
次に、ステー３の取り付けを説明する。
図４に示すように、ステー３の障子側固定板３０を縦框２２の部品取付壁、例えば、見込み方向に向かう見付け方向外側の外側壁２２ｂに固着具３１で固着して縦框２２に取り付け、ステー３の枠体側固定板３２を縦枠１２の部品取付壁、例えばホロー１２ａを形成する見込み方向に向かう見付け方向内側の内側壁１２ｅの外面に接し、金属製の固着具３３、例えばねじで固着して縦枠１２に取り付けてある。
【００１５】
縦枠１２のホロー１２ａ内に設けた補強部材４は、図４、図５、図６に示すように、縦枠１２のホロー１２ａを形成する内側壁１２ｅの内面に接する見込み方向に向かう補強部４０及び見付け方向に向かう支持部４１を備えている。
【００１６】
縦枠１２のホロー１２ａ内には金属製、例えばスチール製で、補強部材４の長さに比べて短い部品取付部材６が設けてある。
この部品取付部材６は補強部材４の補強部４０の開口部４２から縦枠１２の内側壁１２ｅの内面に接する部品取付部６０と、連結部６１を備え、連結部６１を支持部４１に金属製の連結手段７で連結することで、部品取付部材６を補強部材４で支持する。部品取付部材６はステー３の枠体側固定板３２と相対向している。
【００１７】
そして、固着具３３を、ステー３の枠体側固定板３２の孔を通し、内側壁１２ｅの透孔を貫通して部品取付部材６の部品取付部６０に螺合することで、枠体側固定板３２を縦枠１２の内側壁１２ｅに取り付ける。
【００１８】
このようであるから、ステー３の枠体側固定板３２に負荷する荷重、この実施の形態では障子２の重量は、枠体１２の内側壁１２ｅで支持するが、その内側壁１２ｅ（つまり、縦枠１２）は補強部材４で補強されているので、前述の荷重で変形等することがなく、縦枠１２を必要以上に大きくする必要がない。
しかも、内側壁１２ｅの枠体側固定板３２を取り付けた取付部分に圧縮応力が集中的に負荷するが、その内側壁１２ｅの内面に補強部材４の補強部４０が接触して補強しているので、亀裂が生じるなどの破損することがない。
【００１９】
また、縦枠１２が樹脂製であるから、火災時などに縦枠１２が溶融することがあるが、部品取付部材６は補強部材４に連結されているので、縦枠１２が溶融した場合に枠体側固定板３２（ステー３）は部品取付部材６を介して補強部材４で支持され、障子２が落下し、枠体１から外れることがない。
【００２０】
図６に示すように、補強部材４の開口部４２の上下寸法（長手方向の寸法）Ｌ１は、部品取付部材６の部品取付部６０の上下寸法（長手方向の寸法）Ｌ２よりも長く、部品取付部材６は補強部材４に上下方向（長手方向）に上下方向の寸法差（Ｌ１−Ｌ２）だけ移動できるようにしてある。
【００２１】
図５に示すように、連結手段７は段付きビス７０と、補強部材４の支持部４１に形成した上下方向に長孔となったビス挿通孔７１と、部品取付部材６の連結部６１に形成したねじ孔７２を有し、図４に示すように、段付きビス７０をビス挿通孔７１を挿通してねじ孔７２に螺合して段差部７０ａを連結部６１に接し、かつビス頭部７０ｂを支持部４１に接して部品取付部材６を補強部材４に連結している。
【００２２】
このようであるから、段付きビス７０は部品取付部材６とともに補強部材４の支持部４１の長孔であるビス挿通孔７１に沿って上下に移動するから、部品取付部材６を補強部材４に対して上下方向に移動できる。
つまり、連結手段７は部品取付部材６を補強部材４に対して上下方向（長手方向）に移動可能に連結する構成ある。
【００２３】
したがって、縦枠１２の内側壁１２ｅに形成した透孔を上下方向の長孔とすることで、固着具３３を弛めた状態で部品取付部材６とともにステー３を上下に移動することができるから、建具の施工時に枠体１が建物躯体に垂直に対して斜めに取り付けられる等の影響で障子２が枠体１と平行に対して傾いた状態となる場合に、前述のようにして左右の縦枠１２に対してステー３とともに障子２を上下に移動することで、障子２を枠体１と平行な状態に建付け調整できる。
【００２４】
連結手段７は前述のものに限ることはなく、任意な構成とすることができる。
例えば、ビス挿通孔７１を上下方向と左右方向に向かう十文字形状、段付きビス７０の軸部よりも大径の孔とすることで、裏板６を上下方向のみならず、左右方向にも移動できる構成とする。
【００２５】
次に、各部の詳細を説明する。
補強部材４は図５に示すように、見込み方向に向かい補強部４０となる補強板４３と、この補強板４３の見込み方向一端部に設けた見付け方向に延びる支持部４１となる支持板４４と、補強板４３の見込み方向他端寄りに設けた見付け方向に延びる補助板４５と、支持板４４の見付け方向端部に設けた見込み方向他端に延びる取付片４６と、補助板４５の見付け方向端部に設けた見込み方向他端に延びる支持片４７とで、縦枠１２のホロー１２ａ内に嵌合する断面形状の長尺材である。
【００２６】
すなわち、図４、図７に示すように、補強部材４の補強板４３が縦枠１２の内側壁１２ｅの内面に接し、支持板４４が縦枠１２のホロー１２ａを形成する見込み方向一側の一側壁１２ｆの内面（突片１２ｇ）に接し、取付片４６、支持片４７が縦枠１２のホロー１２ａを形成する見付け方向外側の外側壁１２ｈの内面に接し、支持片４７、補強板４３の見込み方向他端の他端面が縦枠１２のホロー１２ａを形成する見込み方向他側の他側壁１２ｉの内面に接する。
【００２７】
これにより、補強部材４は縦枠１２のホロー１２ａ内に、見込み方向、見付け方向に動くことがないように嵌合して支持される。
なお、図４では各部が離れて図示されているが、実際には図７に示すように接触している。
【００２８】
補強部材４の見込み寸法（支持板４４から支持片４７の見込み方向他端面までの寸法）は縦枠１２のホロー１２ａの見付け寸法（内側壁１２ｅの内面と外側壁１２ｈの内面との間寸法）よりも大きく、図４に示す状態から補強部材４を９０°回転してホロー１２ａ内に挿入できないようにしてある。
補強部材４の見付け方向内側の見込み寸法（補強板４３の見込み寸法）は見付け方向外側の見込み寸法（取付板４４から支持片４７の見込み方向他端面までの寸法）よりも小さく、縦枠１２のホロー１２ａの見付け方向内側の見込み寸法は見付け方向外側の見込み寸法より小さく、図４に示す状態から補強部材４を１８０°回転してホロー１２ａ内に挿入できないようにしてある。
【００２９】
このように、縦枠１２のホロー１２ａの断面形状と補強部材４の断面形状は、補強部材４を図４に示すように補強板４３が縦枠１２の内側壁１２ｅに接し、支持板４４が縦枠１２の一側壁１２ｆに接する姿勢としてのみ嵌合するようにしてある。
したがって、縦枠１２のホロー１２ａに補強部材４を誤った姿勢として嵌合することがない。
【００３０】
補強板４３の見込み方向一端寄り部分の長手方向一部分を切欠きし、その切欠き部４３ａで開口部４２としてある。
補助板４５の補強板４３寄り部分に、補強板４３の切欠き部４３ａと連続した切欠き部４５ａが形成してある。
補強板４３の外面には突条４３ｂが見込み方向に間隔を有して設けられ、突条４３ｂが縦枠１２の内側壁１２ｅの内面に接する当接部で、補強板４３の突条４３ｂ以外の部分と縦枠１２の内側壁１２ｅの内面との間に隙間を形成する。
そして、補強板４３の突条４３ｂ以外の部分に加熱膨張材８が設けてある。加熱膨張材８は樹脂製、例えば硬質ＰＶＣ樹脂製の縦枠１２が溶融後に膨張するものである。
【００３１】
このようであるから、火災時等に縦枠１２が溶融すると共に、加熱膨張材８が膨張し、補強部材４、部品取付部材６、ステー３の部分を閉塞するので、その部分を火炎が通ることなく、防火性に優れる。
また、突条４３ｂが縦枠１２の内側壁１２ｅの内面に接しているから、加熱膨張材８のために内側壁１２ｅの補強効果が低減することがない。
【００３２】
部品取付部材６は図５に示すように部品取付部６０となる見込み方向に向かう部品取付板６２と、連結部６１となる見付け方向に向かう連結板６３と、見込み方向に向かう板６４とで断面コ字形状で、部品取付板６２に固着具３３が螺合するねじ孔６５が形成されている。
【００３３】
図６に示すように、部品取付部材６は補強部材４に、その補強板４３の切欠き部４３ａ、補助板４５の切欠き部４５ａに部品取付板６２が位置するように設けられ、連結手段７で補強部材４に連結されることで、部品取付板６２の外面と補強板４３の外面（突部４３ｂ）が面一となるように支持される。
【００３４】
枠体１は図２、図３に示すように躯体取付片１０ｂ，１１ｂ，１２ｂを建物躯体９の屋外側面９ａに固着具９ｂで固着して取り付けられる。
躯体取付片１０ｂ，１２ｂは補強片１０ｃ，１２ｃで補強されているから、上枠１０、縦枠２１を建物躯体９に強固に取り付けできる。
また、補強片１０ｃ，１２ｃは躯体取付片１０ｂ，１２ｂとともに固着具９ｂで建物躯体９に固着してあるので、火災時等に縦枠１２が溶融した際に、補強部材４が補強片１２ｃを介して建物躯体９に支持されるので補強部材４が建物躯体９から外れることがない。
なお、補強片１０ｃ，１２ｃは躯体取付片１０ｂ，１２ｂとは別の固着具で建物躯体９に固着しても良い。
【００３５】
そして、図４に示すように補強部材４と部品取付部材６を連結する連結部分（連結手段７）は躯体取付片１２ｂよりも屋内側に位置し、建物躯体９の屋外側面９ａよりも屋内寄りである。
つまり、連結部分は縦枠１２のホロー１２ａ内における屋内側寄りである。
これにより、連結部分が屋外からの熱の影響を受け難く、火災時に補強部材４と部品取付部材６の連結部分の熱による損傷を抑制することができる。
【００３６】
前述の実施の形態は横すべり出し窓であるが、ステー３を上枠１０と上框２０、下枠１１と下框２１とに渡って取り付けて縦すべり出し窓とすることができる。
この場合には部品取付部材６を上枠１０のホロー１０ａ、下枠１１のホロー１１ｂに設け、補強部材４と連結する。
つまり、左右の縦枠１２が相対向した２つの第１枠で、上枠１０と下枠１１が相対向した２つの第２枠となると共に、左右の縦框２２が相対向した２つの第１框で、上框２０と下框２１が相対向した２つの第２框となる。
【００３７】
前述の各実施の形態ではステー３を部品としたが、蝶番、クレセントを部品として前述のように取り付けることができる。
例えば、外たおし窓、内たおし窓の場合には、蝶番の一側羽根を下枠に前述の実施の形態と同様に取り付けると共に、他側羽根を下框に取り付ける。
外開き窓、内開き窓の場合には、蝶番の一側羽根を縦枠に前述の実施の形態と同様に取り付けると共に、他側羽根を縦框に取り付ける。
引き違い窓の場合には、障子の縦框にクレセントを前述の実施の形態のように取り付ける。
【００３８】
前述の各実施の形態では、各枠、框を樹脂製としたが、アルミ製としても良い。
【００３９】
本明細書は、以下の発明も開示している。その目的は、枠、框などの建具構成枠材に部品を、その建具構成枠材を大きくせずに、建具構成枠材の部品取付部を破損することなしに取り付けできるようにした建具とすることである。
【００４０】
枠体に障子を開閉自在に取り付けた建具であって、
建具構成枠材のホロー内に、補強部と支持部を備え、その補強部の一部に開口部を有した補強部材を、建具構成枠材のホローを形成する部品取付壁の内面に補強部を接して設け、
前記建具構成枠材のホロー内に、部品取付部と連結部を備えた部品取付部材を、その部品取付部が前記補強部の開口部から建具構成枠材の前記部品取付壁の内面に接して設け、
前記支持部と前記連結部を連結手段で連結して部品取付部材を補強部材で支持し、
前記建具構成枠材の部品取付壁の外面に部品を、当該部品及び部品取付壁の透孔を挿通した固着具を前記部品取付部に螺合することで取り付けたことを特徴とする建具。
【００４１】
建具構成材料が補強部材で補強されているから、部品取付壁に取り付けた部品に大きな荷重が負荷しても変形することがなく、建具構成枠材を大きくせずに部品を取り付けできる。
また、補強部材の補強部が部品取付壁の内面に接して補強しているから、部品取付壁の部品取付部分に圧縮応力が集中的に負荷しても破損することがない。
【００４２】
前記連結手段は、部品取付部材の連結部を補強部材の支持部に対して建具構成枠材の長手方向に移動可能に連結し、
前記固着具を弛めることで部品が建具構成枠材の長手方向に移動可能とすることができる。
このようにすれば、固着具を弛めることで部品取付部材とともに部品を建具構成枠材の長手方向に移動できるので、部品の取付位置を建具構成枠材の長手方向に調整できる。
【００４３】
前記建具構成枠材を樹脂製とし、前記補強部材及び部品取付部材を金属製とし、
前記部品と部品取付部を固着する固着具及び前記連結手段を金属製とすることができる。
このようにすれば、火災時等に建具構成枠材が溶融した際に、部品は部品取付部材を介して補強部材で支持されるので、部品が落下することがない。
【００４４】
前記補強部材の補強部は、前記建具構成枠材の部品取付壁の内面に接する部分と接しない部分を有し、その接しない部分に加熱膨張材を設けることができる。
このようにすれば、火災時等に加熱膨張材が膨張し、部品、部品取付部材、補強部材の周囲を膨張した加熱膨張材で取り囲むので、その部分を火炎が通ることがなく、防火性に優れる。
しかも、補強部は加熱膨張材以外の部分で部品取付壁の内面に接するので、加熱膨張材のために部品取付壁の補強効果が低減することがない。
【００４５】
前記補強部材の支持部と部品取付部材の連結部を連結する連結部分は、建具構成枠材の躯体取付片よりも屋内側寄りに位置するようにできる。
このようにすれば、火災時等に補強部材と部品取付部材の連結部分の熱影響が少なく、その連結部分の熱による損傷が抑制される。
【００４６】
前記建具構成枠材に、当該建具構成枠材の躯体取付片を補強する金属製の補強片を、前記補強部材に螺合した固着具で固着して取り付け、
前記補強片を固着具で建物躯体に固着することができる。
このようにすれば、建具構成枠材を建物躯体に強固に取り付けできる。
また、火災時等に建具構成枠材が溶融した際に、補強部材が補強片を介して建物躯体に支持されるので補強部材が建物躯体から外れることがない。
【００４７】
相対向した２つの第１枠と相対向した２つの第２枠を枠組みした枠体に、相対向した２つの第１框と相対向した２つの第２框を有した障子を設け、
前記各第２枠と各第２框とに亘ってステーをそれぞれ取り付けて障子を枠体に開閉自在に取り付け、
前記第２枠のホロー内に、補強部と支持部を備え、その補強部の一部に開口部を有した補強部材を、第２枠のホローを形成する部品取付壁の内面に補強部を接して設け、
前記第２枠のホロー内に、部品取付部と連結部を備えた部品取付部材を、その部品取付部が前記補強部の開口部から第２枠の前記部品取付壁の内面に接して設け、
前記支持部と前記連結部を連結手段で連結して部品取付部材を補強部材で支持し、
前記第２枠の部品取付壁の外面に前記ステーの枠体側固定板を、当該枠体側固定板及び部品取付壁の透孔を挿通した固着具を前記部品取付部に螺合することで取り付け、
前記連結手段は、部品取付部材の連結部を補強部材の支持部に対して第２枠の長手方向に移動可能に連結し、
前記固着具を弛めることで前記枠体側固定板が第２枠の長手方向に移動可能としたことを特徴とする建具。
このようにすれば、枠体に対して障子が傾いている場合に、部品取付部材を第２枠の長手方向に移動することで、障子を枠体と平行に取付調整できる。
【符号の説明】
【００４８】
１…枠体、２…障子、３…ステー、４…補強部材、６…部品取付部材、７…連結手段、８…加熱膨張材、９…建物躯体、９ａ…屋外側面、１２ａ…ホロー、１２ｅ…内側壁（部品取付壁）、３２…枠体側固定板、３３…固着具、４０…補強部、４１…支持部、４２…開口部、６０…部品取付部、６１…連結部。
【図１】
0006381691.tif 000002
【図２】
0006381691.tif 000003
【図３】
0006381691.tif 000004
【図４】
0006381691.tif 000005
【図５】
0006381691.tif 000006
【図６】
0006381691.tif 000007
【図７】
0006381691.tif 000008